(57)【特許請求の範囲】
【請求項１】
一定形状に成型された被計量物が供給されると共に、供給される前記被計量物を計量する計量装置であって、
前記被計量物を整列状態で供給する供給手段と、前記供給手段によって供給される被計量物を搬送すると共に、前記被計量物の重量を計量する計量コンベアと、該計量コンベアによって計量された被計量物を振分ける振分け手段とを有する計量ラインを少なくとも一つ備えると共に、前記供給手段、前記計量コンベア及び前記振分け手段を制御する制御手段を備え、
前記制御手段は、前記計量コンベアによって計量される前記被計量物の重量に基づいて、前記供給手段による前記計量コンベアへの被計量物の供給を停止させて前記計量コンベアへの被計量物の供給量を制御すると共に、前記供給手段による前記計量コンベアへの被計量物の供給を停止させた後に、前記計量コンベアによって計量される前記供給量に応じた被計量物の重量に基づいて、前記振分け手段による振分けを制御する、
ことを特徴とする計量装置。
【請求項２】
一定形状に成型された被計量物を整列状態で供給する供給手段と、前記供給手段によって供給される被計量物を搬送すると共に、前記被計量物の重量を計量する計量コンベアと、該計量コンベアによって計量された被計量物を振分ける振分け手段とを有する計量ラインを少なくとも一つ備えると共に、前記供給手段、前記計量コンベア及び前記振分け手段を制御する制御手段を備え、
前記制御手段は、前記計量コンベアによって計量される前記被計量物の重量に基づいて、前記供給手段による前記計量コンベアへの被計量物の供給を停止させて前記計量コンベアへの被計量物の供給量を制御すると共に、前記供給手段による前記計量コンベアへの被計量物の供給を停止させた後に、前記計量コンベアによって計量される前記供給量に応じた被計量物の重量に基づいて、前記振分け手段による振分けを制御するものであり、
前記供給手段は、被計量物を整列状態で振動搬送するフィーダと、該フィーダから被計量物を受け取って前記計量コンベアに送り込む送込みコンベアとを有し、
前記計量コンベアの前記被計量物の搬送方向の下流側には、搬送される被計量物を受け止める開閉自在な計量ストッパが設けられ、
前記制御手段は、前記計量コンベアによって搬送しながら計量される被計量物の動的重量値が、所定の重量値になったときに、前記送込みコンベアによる前記計量コンベアへの被計量物の供給を停止させ、被計量物の供給を停止させた後に、前記計量コンベアによって計量される被計量物の重量値が、目標重量値未満であるときには、前記送込みコンベアを駆動させて前記計量コンベアへ被計量物を追加供給させる一方、計量される被計量物の重量値が、前記目標重量値以上であるときには、前記計量コンベアの被計量物を前記振分け手段へ搬出させる、
ことを特徴とする計量装置。
【請求項３】
前記制御手段は、前記フィーダの振動振幅及び前記送込みコンベアの搬送速度の少なくともいずれか一方を変更して、整列状態で前記計量コンベアへ供給される被計量物の整列密度を変更する、
請求項２に記載の計量装置。
【請求項４】
前記送込みコンベアによる前記計量コンベアへの被計量物の供給を停止させた後に、前記計量コンベアによって計量される被計量物の重量値が、前記計量コンベアを停止させた状態で計量される静的重量値である、
請求項２または３に記載の計量装置。
【請求項５】
前記所定の重量値が、前記目標重量値未満の重量値である、
請求項２ないし４のいずれかに記載の計量装置。
【発明の詳細な説明】
【技術分野】
【０００１】
本発明は、一定形状に成型された菓子などの被計量物を計量するのに好適な計量装置に関する。
【背景技術】
【０００２】
一定形状に成型された被計量物、例えば、成型ポテトチップスは、その製造原料であるポテトフレークやポテトグラニュールなどの乾燥ポテトに、必要により、澱粉、調味料、香辛料、水などを加えて混合し、得られたドウ生地を薄いシート状に圧延して一定形状に成型し、次にフライ調理することにより製造される。
【０００３】
成型ポテトチップスは、一般に、同じ形状のチップスが同じ方向に整然と重ねられた状態で筒型の包装形態にして出荷される。
【０００４】
このような一定形状のスナック菓子等の被計量物を計量する装置としては、例えば、特許文献１に示されているように、被計量物を、横一列に配置された複数の計量コンベアに複数の物品供給路からそれぞれ供給し、各計量コンベアで計量された被計量物の重量値に基づいて組合せ演算を行い、最適組合せに該当する被計量物を集合させて排出するよう構成したものが提案されている。
【先行技術文献】
【特許文献】
【０００５】
【特許文献１】特開平７−７２００２号公報
【発明の概要】
【発明が解決しようとする課題】
【０００６】
かかる組合せ計量装置では、複数の物品供給路及び複数の計量コンベアからなる複数の計量ラインを構成しても、組合せ演算を行うために、複数の計量コンベアで計量された被計量物の組合せの中から選択された一つの最適組合せの被計量物しか搬出することができず、１台の組合せ計量装置における計量処理能力は低くならざるを得ないものであった。
【０００７】
本発明は、このような実情に着目してなされたものであって、一定形状に成型された被計量物を高い計量処理能力で効率よく計量することができる計量装置を提供することを目的とする。
【課題を解決するための手段】
【０００８】
上記目的を達成するために、本発明では次のように構成している。
【０００９】
（１）本発明に係る計量装置は、一定形状に成型された被計量物が供給されると共に、供給される前記被計量物を計量する計量装置であって、
前記被計量物を整列状態で供給する供給手段と、前記供給手段によって供給される被計量物を搬送すると共に、前記被計量物の重量を計量する計量コンベアと、該計量コンベアによって計量された被計量物を振分ける振分け手段とを有する計量ラインを少なくとも一つ備えると共に、前記供給手段、前記計量コンベア及び前記振分け手段を制御する制御手段を備え、
前記制御手段は、前記計量コンベアによって計量される前記被計量物の重量に基づいて、前記供給手段による前記計量コンベアへの被計量物の供給を停止させて前記計量コンベアへの被計量物の供給量を制御すると共に、前記供給手段による前記計量コンベアへの被計量物の供給を停止させた後に、前記計量コンベアによって計量される前記供給量に応じた被計量物の重量に基づいて、前記振分け手段による振分けを制御する。
【００１０】
本発明によると、供給手段による計量コンベアへの整列状態の被計量物の供給を、計量コンベアによって計量される被計量物の重量に基づいて、停止させるので、計量コンベアに一定量の被計量物を供給することができ、供給された一定量の被計量物を、供給手段による供給を停止させて計量コンベアへの被計量物の移載が完了した状態で、計量コンベアによって計量し、計量した被計量物の重量に基づいて、振分け手段を制御するので、一定量の被計量物が、適量であるか否か等に応じて振分け手段で振分けることができる。
【００１１】
したがって、供給手段、計量コンベア及び振分け手段を有する単一の計量ライン毎に、適量な被計量物を搬出することが可能となり、簡素でコンパクトな構成でありながら、従来例に比べて計量処理能力を高めることができる。
【００１２】
（２）本発明に係る計量装置は、一定形状に成型された被計量物を整列状態で供給する供給手段と、前記供給手段によって供給される被計量物を搬送すると共に、前記被計量物の重量を計量する計量コンベアと、該計量コンベアによって計量された被計量物を振分ける振分け手段とを有する計量ラインを少なくとも一つ備えると共に、前記供給手段、前記計量コンベア及び前記振分け手段を制御する制御手段を備え、
前記制御手段は、前記計量コンベアによって計量される前記被計量物の重量に基づいて、前記供給手段による前記計量コンベアへの被計量物の供給を停止させて前記計量コンベアへの被計量物の供給量を制御すると共に、前記供給手段による前記計量コンベアへの被計量物の供給を停止させた後に、前記計量コンベアによって計量される前記供給量に応じた被計量物の重量に基づいて、前記振分け手段による振分けを制御するものであり、
前記供給手段は、被計量物を整列状態で振動搬送するフィーダと、該フィーダから被計量物を受け取って前記計量コンベアに送り込む送込みコンベアとを有し、
前記計量コンベアの前記被計量物の搬送方向の下流側には、搬送される被計量物を受け止める開閉自在な計量ストッパが設けられ、
前記制御手段は、前記計量コンベアによって搬送しながら計量される被計量物の動的重量値が、所定の重量値になったときに、前記送込みコンベアによる前記計量コンベアへの被計量物の供給を停止させ、被計量物の供給を停止させた後に、前記計量コンベアによって計量される被計量物の重量値が、目標重量値未満であるときには、前記送込みコンベアを駆動させて前記計量コンベアへ被計量物を追加供給させる一方、計量される被計量物の重量値が、前記目標重量値以上であるときには、前記計量コンベアの被計量物を前記振分け手段へ搬出させる。
【００１３】
本発明によると、供給手段による計量コンベアへの整列状態の被計量物の供給を、計量コンベアによって計量される被計量物の重量に基づいて、停止させるので、計量コンベアに一定量の被計量物を供給することができ、供給された一定量の被計量物を、供給手段による供給を停止させて計量コンベアへの被計量物の移載が完了した状態で、計量コンベアによって計量し、計量した被計量物の重量に基づいて、振分け手段を制御するので、一定量の被計量物が、適量であるか否か等に応じて振分け手段で振分けることができる。
したがって、供給手段、計量コンベア及び振分け手段を有する単一の計量ライン毎に、適量な被計量物を搬出することが可能となり、簡素でコンパクトな構成でありながら、従来例に比べて計量処理能力を高めることができる。
更に、計量コンベアによって搬送しながら計量される被計量物の動的重量値が、所定の重量値になったときには、計量コンベアに一定量の被計量物が供給されたとして、送込みコンベアによる被計量物の供給を停止させ、計量コンベアへ供給された一定量の被計量物の重量が、目標重量値未満である場合には、被計量物を少量だけ計量コンベアへ追加供給するので、この追加供給によって目標重量値以上の適量な被計量物とすることができる。
【００１４】
また、計量コンベアへ被計量物を追加供給するときに、既に計量コンベアに供給されている被計量物が、不所望に後段へ搬出されないように、計量ストッパによって受け止めることができる。更に、計量コンベア上の被計量物を計量ストッパで受け止めて集合させ、詰めた整列状態にすることができ、計量済みの被計量物を計量コンベアから纏まりよく搬出することができる。
【００１５】
（３）本発明の他の実施態様では、前記制御手段は、前記フィーダの振動振幅及び前記送込みコンベアの搬送速度の少なくともいずれか一方を変更して、整列状態で前記計量コンベアへ供給される被計量物の整列密度を変更する。
【００１６】
この実施態様によると、例えば、送込みコンベアの前段のフィーダの振動の振幅を弱くすることによって、フィーダから送込みコンベアに移載される被計量物の整列密度を低くする、すなわち、搬送方向に沿う被計量物の整列の間隔を、あまり詰っていない疎な状態とすることができる。
【００１７】
このように被計量物の整列密度が低い疎な部分を、送込みコンベアを停止させる部分、すなわち、計量コンベアに被計量物を一定量供給して送込みコンベアを停止させる部分に対応するように形成しておくことによって、送込みコンベアを停止させる際に、送込みコンベアから計量コンベアへの単位時間当たりの被計量物の移載量を少なくすることができ、移載量のバラツキを少なくすることができる。
【００１８】
また、計量コンベアへ供給された一定量の被計量物の重量が、目標重量値未満であって、停止させた送込みコンベアを短時間動作させて被計量物を計量コンベアへ追加供給する場合も、整列密度の低い疎な部分の被計量物を計量コンベアへ追加供給することになるので、追加供給する被計量物の移載量を少なくして僅かな重量の追加調整が可能となる。
【００１９】
（４）本発明の更に他の実施態様では、前記送込みコンベアによる前記計量コンベアへの被計量物の供給を停止させた後に、前記計量コンベアによって計量される被計量物の重量値が、前記計量コンベアを停止させた状態で計量される静的重量値である。
【００２０】
この実施態様によると、計量コンベアに供給された被計量物の重量を、計量コンベアを停止させた状態で計量される静的重量値として取得するので、動的重量値に比べて精確な計量が行える。
【００２１】
（５）本発明の他の実施態様では、前記所定の重量値が、前記目標重量値未満の重量値である。
【００２２】
計量コンベアによって計量される被計量物の動的重量値が、所定の重量値に達したときに、計量コンベアに一定量の被計量物が供給されたとして、送込みコンベアを停止させるのであるが、計量コンベアによって計量される動的重量値には、計量コンベアからの荷重信号に対するフィルタ演算処理等による遅延の影響があり、実際に計量コンベアに供給された被計量物の重量は、計量される動的重量値よりも大きくなる。
【００２３】
この実施態様によると、計量コンベアによって計量される被計量物の動的重量値が、目標重量値よりも少ない所定の重量値になったときに、送込みコンベアを停止させることによって、実際に計量コンベアに供給される被計量物の重量を、目標重量値又はそれに近い重量値とすることができる。
【発明の効果】
【００２４】
このように、本発明に係る計量装置によれば、一定形状に成型された被計量物を、高い計量処理能力で効率よく計量することができる。
【図面の簡単な説明】
【００２５】
【図１】図１は本発明に係る計量装置の側面図である。
【図２】図２は計量装置の平面図である。
【図３】図３は計量装置の概略基本構成を示す側面図である。
【図４】図４は制御構成を示すブロック図である。
【図５】図５は被計量物及びその整列状態を示す図である。
【図６】図６は計量動作の概要を説明するためのフローチャートである。
【図７】図７は計量動作の概要を説明するためのフローチャートである。
【発明を実施するための形態】
【００２６】
以下、本発明の実施形態について図面を参照しながら説明する。
【００２７】
図１は、本発明の一実施形態に係る計量装置の側面図であり、図２は、その平面図であり、図３は、その概略基本構成を示す側面図である。
【００２８】
この実施形態の計量装置は、例えば、図５（ａ）に示すような湾曲した平面視楕円形状の成型ポテトチップスを被計量物ｐとするものであって、図２の平面図に示すように、複数列（この例では１８列）の計量ラインが並列配備され、計量ライン毎に独立してそれぞれ計量を行うように構成されている。
【００２９】
各計量ラインは同一仕様に構成されており、以下にその構造を説明する。なお、説明の便宜上、被計量物ｐの搬送方向の上手側（図１〜図３の左側）を前方、搬送方向の下手側（図１〜図３の右側）を後方と呼称する。
【００３０】
計量ラインは、床置き設置される基台１の上に、フィーダ２、送込みコンベア３、計量コンベア４、及び、振分けコンベア５を、この順に前後一列状に配置搭載した構造となっており、フィーダ２及び各コンベア３〜５は、後述の制御装置によって制御される。フィーダ２と送込みコンベア３とによって、一定形状に成型された被計量物ｐを整列状態で計量コンベア４に供給する供給手段が構成されている。
【００３１】
フィーダ２は、基台1上に搭載した駆動ケース６の上に、断面形状が上向きコの字形の搬送トレー７を前後水平に装備している。この搬送トレー７を、駆動ケース６に内装した加振機構８よって振動駆動して、搬送トレー７に載置された被計量物ｐを、図５（ｂ）に示すように、前後に整列させながら後方（矢符Ａ方向）に振動搬送するよう構成されている。製造ラインから送られてきた被計量物ｐが、適宜供給手段によって搬送トレー７の前端に供給されるようになっている。
【００３２】
また、このフィーダ２は、加振機構８による振動の振幅を「強」、「弱」の２段階に切り換えることができ、通常は、「強」で動作しており、後述のように、送込みコンベア３が停止しているとき、送込みコンベア３から計量コンベア４へ被計量物ｐの少量を追加供給するとき、及び、被計量物ｐの前後方向での整列密度を低くする、すなわち、被計量物ｐの前後方向の間隔があまり詰まっていない疎な部分を形成するために、一定期間に亘って「弱」に切り換えられる。
【００３３】
被計量物ｐの整列密度が低い疎な部分を形成するために、フィーダ２の振動の振幅を「弱」に切換える時点は、送込みコンベア３から計量コンベア４へ被計量物ｐの供給が開始されて設定時間が経過した時点であり、被計量物ｐが或る程度計量コンベア４に供給された時点である。この時点から一定時間に亘って、「弱」に切換え、フィーダ２から送込みコンベア３への単位時間当たりの被計量物の移載量を少なくして、被計量物ｐの整列密度が低い疎な部分を形成する。
【００３４】
この疎な部分は、送込みコンベア３から計量コンベア４へ被計量物ｐが一定量供給されて送込みコンベア３の動作が停止される部分に対応するように形成される。すなわち、送込みコンベア３から計量コンベア４には、一定量の被計量物ｐが供給されて送込みコンベア３の動作が停止されるのであるが、この送込みコンベア３の動作が停止される部分は、被計量物ｐの整列密度が低い疎な部分に対応する。
【００３５】
送込みコンベア３は、基台１上方に支柱９を介してコンベアフレーム１０を固定設置し、このコンベアフレーム１０に前後水平に巻き掛け張設した搬送ベルト１１をモータ１２で回転駆動するように構成されている。また、ベルト走行径路の横脇には、ベルト上の被計量物ｐを両側から摺接案内する側板１３が固定配備されている。
【００３６】
また、送込みコンベア３は、モータ１２の回転制御によって、その搬送速度を「高速」と「低速」の２段階に切り換えることができるようになっている。
【００３７】
送込みコンベア３は、計量コンベア４上の被計量物ｐが振分けコンベア５に搬出されて計量コンベア４上に被計量物ｐが存在しない状態で、計量コンベア４への被計量物ｐの供給を、搬送速度を「高速」にして開始する。計量コンベア４によって被計量物ｐを搬送しながら計量される被計量物ｐの動的重量値が、目標重量値未満の所定の重量値である目標前重量値に近づくと、送込みコンベア３の搬送速度が「低速」に切換えられ、前記動的重量値が、目標前重量値に達すると、一定量の被計量物ｐが計量コンベア４に供給されたとして、送込みコンベア３の動作が停止される。
【００３８】
送込みコンベア３は、被計量物ｐを計量コンベア４に追加供給する場合を除いて、計量コンベア４上の被計量物が、振分けコンベア５に搬出された後、再び、搬送速度を「高速」にして動作を再開し、被計量物ｐを計量コンベア４に供給する。
【００３９】
計量コンベア４は、基台１上に固定設置された計量ケース１５にコンベアフレーム１６を支持し、このコンベアフレーム１６に前後水平に巻き掛け張設した搬送ベルト１７をモータ１８で回転駆動するように構成されている。また、ベルト走行径路の横脇には、ベルト上の被計量物ｐを両側から摺接案内する側板１９が固定配備されている。そして、計量コンベア４全体の重量が、計量ケース１５に内装した重量センサ２０で検出されるようになっている。
【００４０】
また、コンベアフレーム１６における後端部近くの上方に連結固定した箱形の支持ケース２１に、アーム状の計量ストッパ２２が横向きの支点ａを中心として上下に揺動開閉自在に配備されている。この計量ストッパ２２は、支持ケース２１の内部に配備したロータリエアーシリンダ２３によって駆動揺動されるようになっており、下方揺動した閉じ位置では、搬送ベルト１７に載置されて搬送されてくる被計量物ｐを受け止め、上方に大きく揺動した開放位置では、被計量物ｐの後方への通過を許容するようになっている。
【００４１】
この計量ストッパ２２は、計量コンベア４が動作中は、下方揺動した閉じ位置にあって、被計量物ｐが不所望に振分けコンベア５へ搬出されるのを防止し、計量コンベア４の動作を停止させて被計量物ｐの静的重量値を取得するとき、及び、静的重量値を取得した被計量物ｐが計量ストッパ２２の位置に集合させたときには、上方に揺動した開放位置となる。
【００４２】
また、計量コンベア４も、モータ１８の回転制御によって、その搬送速度を「高速」と「低速」の２段階に切り換えることができるようになっている。
【００４３】
計量コンベア４は、送込みコンベア３から供給される被計量物ｐの重量を、被計量物ｐを「高速」で搬送しながら計量し、得られた動的重量値が、目標前重量値に近づくと、精確な動的重量値を取得するために、送込みコンベア３と同様に、搬送速度が「低速」に切換えられる。計量コンベア４は、前記動的重量値が、目標前重量値に達し、上記のように送込みコンベア３の動作が停止された後も一定期間「低速」で動作して、送込みコンベア３上の被計量物ｐと計量コンベア４上の被計量物ｐとを完全に分離した状態で、動作を停止する。
【００４４】
計量コンベア４は、動作を停止した状態で、計量ストッパ２２を開放位置に上方揺動して被計量物ｐの静的重量値を取得する。
【００４５】
取得した静的重量値に基づいて、「適量」、「過量」、「軽量」のいずれであるかが判定される。「適量」又は「過量」と判定されたときには、計量コンベア４は、「高速」で動作を開始して、閉じ位置に下方揺動された計量ストッパ２２の位置に、計量した被計量物ｐを集合させて詰めた整列状態とする。整列された被計量物ｐは、振分けコンベア５に被計量物ｐが存在していないことを条件に、振分けコンベア５へ搬出される。なお、静的重量値の計量を完了して「高速」での動作を開始して一定期間経過したときに、計量ストッパ２２の位置に、被計量物ｐの集合が完了したと判断する。
【００４６】
取得した静的計量値に基づいて、「軽量」であると判定されたときには、計量ストッパ２２を閉じ位置にした状態で、送込みコンベア３及び計量コンベア４を僅かな時間動作させて被計量物ｐを計量コンベア４へ追加供給し、送込みコンベア３を停止させる。その後、計量コンベア４を停止させると共に、計量ストッパ２を、被計量物ｐに接触しないように、上方揺動させて開放位置にした後、被計量物ｐの重量を再計量して静的重量値を取得し、「適量」、「過量」、「軽量」のいずれであるかを判定する。
【００４７】
「適量」または「過量」と判定されたときには、上記のように閉じ位置に下方揺動された計量ストッパ２２の位置に被計量物ｐを集合させて詰めた整列状態とした後に、振分けコンベア５へ搬出し、「軽量」であるときには、再度、被計量物ｐの追加供給を行って静的重量値を取得するという上記動作を行う。
【００４８】
送込みコンベア３から計量コンベア４へ供給される被計量物ｐの重量が、目標前重量値に達して、送込みコンベア３を停止させる時点は、上記のようにフィーダ２の振動の振幅を「強」から「弱」に一定期間切換えることによって形成した被計量物ｐの整列密度が低い疎な部分が、送込みコンベア３と計量コンベア４との境界部分に到来する時点である。
【００４９】
したがって、計量コンベア４への被計量物ｐの供給が停止される部分は、被計量物ｐの整列状態が、前後方向であまり詰まっていない整列密度が低い疎な部分であるので、被計量物ｐが前後方向に詰った整列密度の高い密な部分に比べて、単位時間当りに計量コンベア４へ移載される被計量物ｐの移載量は少なく、移載量のバラツキを抑制することができる。
【００５０】
また、計量コンベア４に供給した被計量物ｐの静的重量値が、軽量と判定されたときには、送込みコンベア３及び計量コンベア４を短時間「低速」で動作させて被計量物ｐを計量コンベア４へ追加供給するのであるが、この追加供給も被計量物ｐの整列密度が低い疎な部分で行われることになるので、計量コンベア４へ追加供給する被計量物ｐの移載量、すなわち、移載する成型ポテトチップスの枚数を少なくして少量の重量の調整が可能である。
【００５１】
振分け手段としての振分けコンベア５は、基台１上方に支柱２５を介してコンベアフレーム２６を設置し、このコンベアフレーム２６に前後水平に巻き掛け張設した搬送ベルト２７をモータ２８で回転駆動するように構成されている。また、ベルト走行径路の横脇には、ベルト上の被計量物ｐを摺接案内する側板２９が固定配備されている。振分けコンベア５は、常時動作しており、被計量物ｐは、上下に駆動移動される搬出ストッパ３１によって、次段への搬出が制限される。
【００５２】
コンベアフレーム２６の前部は、ベルト駆動軸心と同心の横向きの支点ｂを中心として上下揺動可能に支柱２５の上部に支持されると共に、エアーシリンダ３０の伸縮作動によって、振分けコンベア５を通常の水平搬送姿勢と後ろ下がり傾斜した払出し搬送姿勢とに切換え可能に構成されている。
【００５３】
計量コンベア４によって計量された静的重量値に基づいて、適量と判定された被計量物ｐは、振分けコンベア５によって水平搬送姿勢で次段に搬送され、過量と判定された被計量物ｐは、振分けコンベア５によって傾斜した払出し搬送姿勢で搬送経路外の図示しない回収容器に排出される。
【００５４】
また、コンベアフレーム２６の後端には、上記のように上下に駆動移動される搬出ストッパ３１が配備されており、エアーシリンダ３２の伸縮作動によって、搬送ベルト２７の上方に突出して搬送されてきた被計量物ｐを受け止めるストッパ作用位置と、搬送ベルト２７より下方に没入して被計量物ｐの通過を許容する退避位置とに切換え可能に構成されている。
【００５５】
なお、送込みコンベア３と計量コンベア４との突合せ箇所の下方、及び、計量コンベア４と振分けコンベア５との突合せ箇所の下方には、被計量物ｐの破損片を収容する収容箱３３がそれぞれ配備されている。
【００５６】
図４は、この実施形態の制御構成を示すブロックであり、一つの計量ラインについて代表的に示しているが、制御装置３４は、複数の全ての計量ラインを制御する。
【００５７】
マイクロコンピュータ等によって構成される制御装置３４には、重量センサ２０からの荷重信号が与えられ、この荷重信号をＡ／Ｄ変換、増幅及びフィルタ演算処理等を行って、計量コンベア４に供給される被計量物ｐの動的重量値や静的重量値が取得され、静的重量値に基づいて、「適量」、「過量」、「軽量」の判定が行われる。この制御装置３４は、フィーダ２の加振機構８、送込みコンベア３を駆動するモータ１２、計量コンベア４を駆動するモータ１８、計量ストッパ駆動用のロータリエアーシリンダ２３、振分けコンベア５を駆動するモータ２８、振分けコンベア５の姿勢切換え用のエアーシリンダ３０、搬出ストッパ駆動用のエアーシリンダ３２等の各部を制御する。
【００５８】
この制御装置３４には、タッチパネル方式の操作表示器３５を操作して、目標重量値、目標前重量値、許容重量範囲、設定時間等の各種の設定が行われる一方、操作表示器３５に、計量値等の各種情報が表示される。
【００５９】
以上のような構成を有する本実施形態の計量装置の動作の概要を図６、図７のフローチャートを参照しながら説明する。
【００６０】
起動指令に応じて、フィーダ２、送込みコンベア３、計量コンベア４、及び、振分けコンベア５が起動されると共に、計量コンベア４による計量が開始される（ステップＳ０１）。
【００６１】
フィーダ２の搬送トレー７に供給された被計量物ｐは、振幅「強」で振動駆動されて前後に重なるように整列されながら後方に搬送され、搬送トレー７の後端から送込みコンベア３の搬送ベルト１１上に移載されてゆく。
【００６２】
送込みコンベア３は、「高速」で駆動されており、フィーダ２から移載された被計量物ｐは、整列された状態のまま後方に搬送されて計量コンベア４の搬送ベルト１７上に移載されてゆく。
【００６３】
この時、計量コンベア４も「高速」で駆動されており、送込みコンベア３から移載された被計量物ｐは、整列密度が高い密な整列状態で後方に搬送されながらその重量が動的に計量される。また、この時、計量ストッパ２２は、閉じ位置に下方揺動されている。
【００６４】
計量コンベア４によって搬送されながら計量される動的重量値ｗ(d)が、目標重量値より少ない所定の重量値である目標前重量値Ｗ1に近づくと（ステップＳ０２）、精確な動的重量値を取得するために、送込みコンベア３及び計量コンベア４の搬送速度が「低速」に切換えられる（ステップＳ０３）。そして、計量された動的重量値ｗ(d)が、目標前重量値Ｗ1に達すると、送込みコンベア３が停止され（ステップＳ０４，Ｓ０５）、その一定時間後に、計量コンベア４が停止されると共に、計量ストッパ２２を開放位置に揺動させる（ステップＳ０６）。なお、送込みコンベア３の停止と共に、フィーダ２の振動の振幅が、「強」から「弱」に切換えられる。
【００６５】
また、図６には示されていないが、動的重量値ｗ(d)が、目標前重量値Ｗ1に近づく前に、フィーダ２の振動の振幅が、「強」から「弱」に切換えられ、一定時間後に「強」に戻される。これによって、上記のように、フィーダ２から送込みコンベア３に移載される部分が、整列密度が低い「疎」の部分となる。この「疎」の部分が、送込みコンベア３から計量コンベア４へ被計量物ｐを一定量供給して送込みコンベア３の動作が停止される部分に対応する。すなわち、送込みコンベア３から計量コンベア４には、一定量の被計量物ｐが供給されて送込みコンベア３の動作が停止されるが、この送込みコンベア３の動作が停止される部分は、被計量物ｐの整列密度が低い疎な部分である。
【００６６】
これによって、動的重量値ｗ(d)が目標前重量値Ｗ1に達して送込みコンベア３を停止する際に、送込みコンベア３から計量コンベア４に単位時間当たりの被計量物ｐの移載量が少なくなり、移載量のバラツキを抑制して計量精度を高めることができる。
【００６７】
ここで、設定される目標重量値の大小によって、目標前重量重量値Ｗ１の大小も変わり、計量コンベア４に供給される被計量物ｐの前後方向長さが変ることになる。従って、目標重量値が大きい場合には、目標前重量重量値Ｗ１も大きくなり、搬送方向先頭の被計量物ｐが、閉じ位置の計量ストッパ２２に当接支持された状態になる。また、目標重量値Ｗ0が小さい場合には、目標前重量重量値Ｗ１も小さくなり、搬送方向先頭の被計量物ｐが、閉じ位置の計量ストッパ２２に当接しない状態で送込みコンベア３が停止されることになる。
【００６８】
上記ステップＳ０６で、計量コンベア４が停止されると共に、計量ストッパ２２が開放されると、計量コンベア４における搬送ベルト１７に載置支持されただけの静止状態にある被計量物ｐの重量が静的に計量される（ステップＳ０７）。
【００６９】
その後、計量ストッパ２２を閉じ位置にすると共に、計量コンベア４を計量終了時点から設定時間だけ「高速」で動作させて、計量された被計量物ｐを閉じ位置にある計量ストッパ２２に向けて搬送し、詰めた整列状態とする（ステップＳ０８）。
【００７０】
次に、図７に示すように、ステップＳ０７で取得した静的重量値ｗ(s)に基づいて、「適量」又は「過量」であるか否かが判定される（ステップＳ０９）。
【００７１】
そして、「適量」又は「過量」であると判定されると、振分けコンベア５の被計量物ｐが排出されていることを条件に、計量ストッパ２２を開放位置にすると共に、計量コンベア４を動作させ、計量済みの被計量物ｗｐを振分けコンベア５に向けて搬送する（ステップＳ１０）。
【００７２】
そして、振分けコンベア５に送り込まれた被計量物ｐが「適量」であった場合には、搬出ストッパ３１の位置に集合させ、その後、図示しない次段の装置からの開放指令によって搬出ストッパ３１が下方に開放され、被計量物ｐは、次段の搬送手段に送り出されて包装工程に至る（ステップＳ１５，Ｓ１６）。
【００７３】
また、振分けコンベア５に送り込まれた被計量物ｐが「過量」である場合には、振分けコンベア５が下方に揺動されると共に、搬出ストッパ３１が開放され、「過量」の被計量物ｐは、搬送経路外の図示しない回収容器に回収される（ステップＳ１５，Ｓ１７）。
【００７４】
上記ステップＳ０９で、適量又は過量でない、すなわち、軽量と判定されると、計量ストッパ２２を閉じた状態のままで、停止していた送込みコンベア３を所定の極短時間だけ「低速」で動作させると共に、停止していた計量コンベア４を「低速」で設定時間だけ動作させ、送込みコンベア３上の被計量物ｐを少量だけ計量コンベア４に追加供給する（ステップＳ１１）。追加供給が終了して計量コンベア４が停止すると、計量ストッパ２２を開放して再び静的計量を行う（ステップＳ１２，Ｓ１３）。
【００７５】
その後、取得した静的重量値ｗ(s)に基づいて、「適量」または「過量」であるか否かを判定し（ステップＳ１４）、「適量」または「過量」であるときには、ステップＳ１０に移り、軽量であるときには、ステップＳ１１に戻って追加供給を行う。
【００７６】
以上のようにして、並列された複数の計量ラインのそれぞれにおいて、上記の計量動作を順次繰り返すことで、「適量」の被計量物ｐを計量ライン毎に間欠的に搬出して次段の包装工程に移行することができる。
【００７７】
［他の実施形態］
本発明は、以下のような形態で実施することもできる。
【００７８】
（１）上記実施形態は、複数の計量ラインを並列配置した形態のものを例示したが、単一の計量ラインだけを備えた形態で実施することもできる。
【００７９】
（２）静的重量値ｗ(s)に基づいて、「軽量」と判定された場合、静的重量値ｗ(s)と目標重量値との偏差Δｗを算出し、偏差Δｗの大きさに基づいて、送込みコンベア３による追加供給の時間を自動変更するようにすると、過不足の少ない追加供給を行うことができる。
【００８０】
（３）上記実施形態では、計量コンベア４の直後に振分けコンベア５を配備して、計量コンベア４で「過量」と判定された被計量物を直ちに振分けコンベア５によって排除する形態としているが、計量・包装ラインの形態によっては、「過量」と判定されて計量コンベア４から搬出された「適量」または「過量」の被計量物を別途設けた振分け選別箇所にまで一旦搬送し、計量コンベアから送られてきた計量データに基づいて、振分け選別箇所に別途配備した適宜の振分け手段で振分け排除する仕様とすることもできる。
【００８１】
（４）上記実施形態では、振動駆動型のフィーダ２とベルト式の送込みコンベア３とによって、被計量物ｐを整列状態で、かつ、その整列密度を変えて計量コンベア４に搬入することができる供給手段が構成されているが、フィーダ２を速度変更可能なベルト式コンベアに変更して同様な機能を発揮させることも可能である。
【００８２】
（５）被計量物ｐの性状や形状によって、供給手段、計量コンベア４、振分けコンベア５は、上記実施形態以外の任意の仕様や形態のものに変更して実施することができる。
【００８３】
（６）上記実施形態では、計量コンベア４に一定量の被計量物ｐが供給されて送込みコンベア３を停止させた後、計量コンベア４を停止させて静的重量値を取得して適量か否かといった判定を行ったけれども、本発明の他の実施形態として、計量コンベア４を停止させることなく、動的重量値を取得し、動的重量値に基づいて、適量か否かといった判定を行うようにしてもよい。
【００８４】
（７）上記実施形態では、各コンベア３，４の搬送速度及びフィーダ２の振動の振幅は、２段階に切換えるようにしたけれども、２段階に限らず、多段階に切換え変更できるようにしてもよい。
【符号の説明】
【００８５】
２            フィーダ
３            送込みコンベア
４            計量コンベア
２２          計量ストッパ
３１          搬出ストッパ
ｐ            被計量物
Ｗ１          目標前重量値
ｗ（ｄ）      動的重量値
ｗ（ｓ）      静的重量値
【図１】
0006494342.tif 000002
【図２】
0006494342.tif 000003
【図３】
0006494342.tif 000004
【図４】
0006494342.tif 000005
【図５】
0006494342.tif 000006
【図６】
0006494342.tif 000007
【図７】
0006494342.tif 000008